(57)【要約】本発明は，ゴムで形成された吸着装置本体に磁石が設けられた磁石を有する吸着装置に関する。この吸着装置は，柔軟なゴムで形成された円錐形の吸着装置本体と，吸着装置本体の頂点部に挿入された磁石とからなる。磁石は所定ガウスの磁力を有する。かかる吸着装置は，既存の吸着装置では貼り付けることができない木，セメント壁の表面などに貼り付けることができ，吸着装置の取り付け対象物の範囲を大幅に増加できる。
2004537687.tif 000002
【特許請求の範囲】
【請求項１】
円錐形状を有し，柔軟なゴムで形成されており，対象物に対して弾性的に押圧されることによって吸着力を発揮する吸着装置本体１００と；
前記吸着装置本体１００の頂点部１１０に挿入され，所定ガウスの磁力を有する磁石１３０と；
を備えることを特徴とする，磁石を有する吸着装置。
【請求項２】
円錐形状を有し，柔軟なゴムで形成されており，対象物に対して弾性的に圧縮されることによって吸着力を発揮する第１および第２の吸着装置本体１００Ａ，１００Ｂと；
前記第１および第２の吸着装置本体１００Ａ，１００Ｂの頂点部１１０Ａ，１１０Ｂにそれぞれ挿入され，所定ガウスの磁力を有する第１および第２の磁石１３０Ａ，１３０Ｂと；
を備え，
前記第１の吸着装置本体１００Ａは，前記第１の頂点部１１０Ａと，第１の基底部１２０Ａとを含み，
前記第２の吸着装置本体１００Ｂは，前記第２の頂点部１１０Ｂと，第２の基底部１２０Ｂとを含み，
前記第１の頂点部１１０Ａと前記第２の頂点部１１０Ｂとは，連結部１０１を介して相互に連結されており，
前記第１の基底部１２０Ａと前記第２の基底部１２０Ｂとは，相互に逆方向に向くように配設されていることを特徴とする，磁石を有する吸着装置。
【請求項３】
前記磁石１３０は，１つの本体内にＮ極及びＳ極からなる２つの磁極を有することを特徴とする，請求項１または２のいずれかに記載の磁石を有する吸着装置。
【請求項４】
使用者によって吸着装置本体１００の吸着状態を解除できるようにするために，一端が前記吸着装置本体１００の前記頂点部１１０に連結され，他端が前記吸着装置本体１００の基底部１２０に連結された解除フック１１０をさらに備えることを特徴とする，請求項１または２のいずれかに記載の磁石を有する吸着装置。
【請求項５】
前記吸着装置本体１００の内部に設けられた磁気部材１４０をさらに備え，
前記磁気部材１４０は，前記先端部１１０から放射方向に拡がってメッシュサイズが増加するような網形状を有し，前記磁石１３０に電気的に連結されていることを特徴とする，請求項１または２のいずれかに記載の磁石を有する吸着装置。
【請求項６】
前記磁気部材１４０は，導電性塗料で形成されていることを特徴とする，請求項５に記載の磁石を有する吸着装置。
【発明の詳細な説明】
【技術分野】
【０００１】
本発明は，磁石を有する吸着装置に関し，特に，ゴムで形成された吸着装置本体に磁石が設けられており，この結果，既存の吸着装置では取り付けることができない木，セメント壁表面等にも取り付けることができ，取り付け可能な対象物の範囲が大幅に拡大された吸着装置に関する。
【背景技術】
【０００２】
一般的に，吸着装置は，ゴムで製造された円錐体である。吸着装置が，ガラス等の物体（対象物）表面に対して吸着により取り付けるときには，まず，物体表面に接触するように吸着装置を配置した上で，円錐形の頂点部を物体表面まで押し下げるようにして，吸着装置を押し付ける力を加える。この結果，ゴム性の柔軟な円錐体の基底部が物体の表面に押圧され，吸着装置と物体表面との間に真空が形成される。このため，上記構成を有する吸着装置は，別途の接着剤なしでも，ガラスや車両の窓の表面，タイル等の平滑な表面などに吸着することができ，これにより，小さい人形や車窓のブラインドなどを，鏡や，車窓等の表面にぶら下げることができる。しかし，上記従来の吸着装置は，平滑な表面に対してのみ接着力を発揮するものであるので，使用範囲が制限されることは避けられない。また，従来の吸着装置は，容易にずり落ちたり，衝撃，変形，湿度や温度の変化などが原因で容易に表面から分離したりすることがある。さらに，従来の吸着装置は，吸着力が相対的に弱いため，軽い物体しか支持することができない。
【発明の開示】
【発明が解決しようとする課題】
【０００３】
そこで，本発明は，上記問題に鑑みてなされたものであり，本発明の目的とするところは，円錐形の吸着装置本体の頂点部分に磁石が設けられ，真空吸着力のみならず，頂点部にある磁石による磁力を発揮することによって，吸着装置が取り付けられる対象物に対する接着力を増強することが可能な，磁石を有する吸着装置を提供することにある。
【０００４】
本発明の目的は，磁石を有する吸着装置を提供して，吸着装置を取り付け可能な対象物の範囲を，木，セメント壁表面等まで拡張できるとともに，簡単にずり落ちたり，衝撃，変形，湿度や温度の変化等が原因で容易に対象物の表面から剥離したりすることを防止することが可能な，磁石を有する吸着装置を提供することにある。
【０００５】
上記課題を解決するために，本発明のある観点によれば，円錐形状を有し，柔軟なゴムで形成されており，対象物に対して弾性的に押圧されることによって吸着力を発揮する吸着装置本体と；吸着装置本体の頂点部に挿入され，所定ガウスの磁力を有する磁石と；
を備えることを特徴とする，磁石を有する吸着装置が提供される。
【０００６】
また，上記吸着装置本体の内部に設けられた磁気部材をさらに備え，この磁気部材は，上記吸着装置本体の先端部から放射方向に拡がってメッシュサイズが増加するような網形状を有し，上記磁石に電気的に連結されているように構成してもよい。
【０００７】
また，上記課題を解決するために，本発明の別の観点によれば，円錐形状を有し，柔軟なゴムで形成されており，対象物に対して弾性的に圧縮されることによって吸着力を発揮する第１および第２の吸着装置本体と；第１および第２の吸着装置本体の頂点部にそれぞれ挿入され，所定ガウスの磁力を有する第１および第２の磁石と；を備えることを特徴とする，磁石を有する吸着装置が提供される。この吸着装置では，上記第１の吸着装置本体は，前記第１の頂点部と，第１の基底部とを含み，上記第２の吸着装置本体は，上記第２の頂点部と，第２の基底部とを含み，上記第１の頂点部と第２の頂点部とは，連結部を介して相互に連結されており，上記第１の基底部と前記第２の基底部とは，相互に逆方向に向くように配設されている。
【０００８】
また，上記磁石は，一つの本体にＮ極とＳ極の二つの磁極を有していることが好ましい。また，上記磁気部材は，導電性塗料（ｅｌｅｃｔｒｏ−ｃｏｎｄｕｃｔｉｖｅ  ｐａｉｎｔ；導電性を有するペイント）で製造されることが好ましい。また，吸着装置は，使用者によって吸着装置本体の吸着状態を解除できるようにするために，解除フックをさらに備え，この解除フックの一端は吸着装置本体の頂点部に連結され，解除フックの他端は吸着装置本体の基底部に連結されるように構成してもよい。
【発明の効果】
【０００９】
以上説明したように，本発明にかかる吸着装置は，吸着力が増加され，使用範囲が拡大されている。
【発明を実施するための最良の形態】
【００１０】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００１１】
図１は，本発明の第１の実施形態にかかる吸着装置を示す斜視図であり，図２は，図１に示した吸着装置のＡ−Ａ’ラインに沿った断面図であり，図３は，図１に示した吸着装置の使用状態を示す断面図であり，図５は，本実施形態にかかる吸着装置に使用した磁石の構造を示す説明図である。
【００１２】
図１および図２に示すように，本実施形態にかかる吸着装置は，柔軟性を有するゴムで製造された円錐形の吸着装置本体１００を備える。この吸着装置本体１００は，頂点部１１０から基底部１２０まで，放射方向に拡径する円錐形状を有する。吸着装置本体１００を，対象物の表面に接触させた状態で，頂点部１１０に対して，頂点部１１０を直接下方に押し下げるような力を加えると，ゴムで形成された吸着装置本体１００が対象物の表面に押し付けられる。この結果，吸着装置本体１００と対象物表面との間に真空が形成され，対象物表面に対する吸着力（保持力）が発生する。
【００１３】
所定ガウスの磁力を保持する磁石１３０は，円錐形の吸着装置本体１００の頂点部１１０に挿入されている。この頂点部１１０に挿入された磁石１３０は，図５に示すように，一つの磁石本体を分割するようにしてＮ極とＳ極の２つの磁極を有しており，磁力を利用して吸着装置本体１００の吸着力を極大化させる。
【００１４】
また，磁気部材（ｍａｇｎｅｔｉｃ  ｍｅｍｂｅｒ）１４０は，磁石１３０と電気的に接続されている。この磁気部材１４０は，吸着装置本体１００の内部に配設されている。かかる磁気部材１４０は，吸着装置本体１００の頂点部１１０から基底部１２０にかけて，放射状に拡がるような網形状を有する。即ち，磁気部材１４０の網形状を構成するメッシュのサイズは，頂点部１１０から基底部１２０に向かうにつれ，放射方向（ｒａｄｉａｌ  ｄｉｒｅｃｔｉｏｎ）に大きくなってしている。かかる磁気部材１４０は，伝導性材料を含む塗料（ｐａｉｎｔ）を使用して形成されてもよく，柔軟性を有する鉄線などの伝導性部材（ｃｏｎｄｕｃｔｉｖｅ  ｍｅｍｂｅｒ）を，吸着装置本体１００の内側面に取り付けたものを含んでもよい。
【００１５】
本実施形態にかかる吸着装置には，使用者が吸着装置本体１００の吸着状態を容易に解除することができるように，解除フック１５０が設けられている。この解除フック１５０は，内側に空き空間が形成されるように，フック形に曲がっている。かかる解除フック１５０の一端は，吸着装置本体１００の頂点部１１０に連結され，一方，解除フック１５０の他端部は，吸着装置１００の基底部１２０に連結されている。従って，吸着装置が吸着作用により対象物の表面に対して貼り付いている状態で，使用者が弱い力で解除フック１５０を引っ張ると，基底部１２０が引っ張られて対象物表面から取り外され，この結果，吸着装置全体を対象物の吸着面から容易に取り外すことができる。
【００１６】
図４は，本発明の第２の実施形態にかかる吸着装置を示す断面図である。
【００１７】
図４に示すように，本実施形態にかかる吸着装置は，第１および第２の吸着装置本体１００Ａ，１００Ｂと，所定ガウスの磁力を有する第１及び第２の磁石１３０Ａ，１３０Ｂと，を備える。第１の吸着装置本体１００Ａは，第１の頂点部１１０Ａと，第１の基底部１２０Ａとを含む。第２の吸着装置本体１００Ｂは，第２の頂点部１１０Ｂと，第２の基底部１２０Ｂとを含む。第１の頂点部１１０Ａ及び第２の頂点部１１０Ｂは，連結部分１０１を介して相互に連結されている。第１の基底部１２０Ａ及び第２の基底部１２０ｂは，相互に反対方向に向かうように配設されている。第１の基底部１２０Ａ及び第２の基底部１２０Ｂは，それぞれ，連結部分１０１から外方に向かうにつれ拡径しており，このため，第１の吸着装置本体１００Ａ及び第２の吸着装置本体１００Ｂは，それぞれ円錐形状を有する。第１の磁石１３０Ａは，第１の吸着装置本体１００Ａの第１の頂点部１１０Ａに配設され，第２の磁石１３０Ｂは，第２の吸着装置本体１００Ｂの第２の頂点部１１０Ｂに配設されている。
【００１８】
図４に示す吸着装置では，第１の吸着装置本体１００Ａと第２の吸着装置本体１００Ｂとは，異なる対象に対して吸着力を発揮できる。このため，互いに間隔をおいて配されている２枚のスチール板のように，互いに間隔をおいて配されている２つの対象物を保持することができる。
【００１９】
上述したような構造を有する第１の実施形態にかかる吸着装置を，木やセメント壁のような粗い表面に取り付ける場合には，図３に示すように，まず，磁石に引き付けられるスチール板２００を，木やセメント壁表面のような粗い表面に接着剤を使用して装着する。次いで，本実施形態にかかる吸着装置をスチール板２００の上に押し付けて，ゴムで形成された吸着装置が圧縮されることで，吸着装置とスチール板２００との間に真空が形成されて吸着力が生じるとともに，スチール板２００と頂点部１１０に挿入された磁石１３０との間に，磁力で引き付け合う力が生じる。この結果，本実施形態にかかる吸着装置の保持力（ｈｏｌｄｉｎｇ  ｆｏｒｃｅ）が増加する。
【００２０】
さらに，図４に示した吸着装置は，互いに間隔を空けて配されている２枚のスチール板などといった，相互に離隔して配されている２つの部材の間を連結させる時に有用である。即ち，図４に示された吸着装置において，第１の頂点部１１０Ａ及び第２の頂点部１１０Ｂは，連結部分１０１を介して互いに一体化されており，また，第１の基底部１２０Ａ及び第２の基底部１２０Ｂは，第１の基底部１２０Ａと第２の基底部１２０Ｂを連結する連結部分１０１から，相互に反対方向に向かって配設されている。このため，吸着装置は，反対方向にある２つの対象物に対して同時に保持力を発揮できる。
【００２１】
また，頂点部１１０の外部表面に連結された解除フック１５０を上に引っ張ると，円錐形の吸着装置本体１００の基底部１２０が対象物の表面から容易に取り外される。従って，対象物の吸着面に吸着した吸着装置を取り外すときに，解除フック１５０を使用すれば，効果的である。
【００２２】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【産業上の利用可能性】
【００２３】
上記説明から分かるように，本発明にかかる吸着装置は，円錐形状の吸着装置本体の頂点部に磁石が設けられている。このため，真空を利用した吸着力だけでなく，頂点部に設けられた磁石による磁力も発揮することができるので，吸着装置が取り付けられた対象物に対する保持力がより強くなる。また，本発明にかかる吸着装置は，取り付け可能な対象物の範囲を，木，セメント壁表面等まで拡張できる。さらに，本発明にかかる吸着装置は，対象物の表面から容易にずり落ちたり，衝撃，変形，湿度や温度の変化等が原因で容易に剥離したりすることを防止できる。
【図面の簡単な説明】
【００２４】
【図１】本発明の第１の実施形態にかかる吸着装置を示す斜視図である。
【図２】図１に示した吸着装置のＡ−Ａ’ラインに沿った断面図である。
【図３】図１に示した吸着装置の使用状態を示す断面図である。
【図４】本発明の第２の実施形態にかかる吸着装置を示す斜視図である。
【図５】両実施形態にかかる吸着装置に使用した磁石の構造を示す説明図である。
【図１】
2004537687.tif 000003
【図２】
2004537687.tif 000004
【図３】
2004537687.tif 000005
【図４】
2004537687.tif 000006
【図５】
2004537687.tif 000007
【国際公開パンフレット】
2004537687.tif 000008
2004537687.tif 000009
2004537687.tif 000010
2004537687.tif 000011
2004537687.tif 000012
2004537687.tif 000013
2004537687.tif 000014
2004537687.tif 000015
2004537687.tif 000016
2004537687.tif 000017
2004537687.tif 000018
2004537687.tif 000019
2004537687.tif 000020
2004537687.tif 000021
【国際調査報告】
2004537687.tif 000022